【手続補正書】
【提出日】平成30年4月5日(2018.4.5)
【手続補正１】
【補正対象書類名】特許請求の範囲
【補正対象項目名】全文
【補正方法】変更
【補正の内容】
【特許請求の範囲】
【請求項１】
カテーテルアセンブリであって、
カテーテルと、
前記カテーテル内に配置された鋭い遠位先端を有する針と、
前記針が中を通過する前記カテーテルに連結されたカテーテルハブであって、
前記カテーテルを通る流体の流れを選択的に可能にするまたはブロックする弁、
第１のポジションと第２のポジションとの間を動く弁アクチュエータ、および
前記弁アクチュエータを前記第２のポジションから前記第１のポジションへ戻す戻し部材
を含む、カテーテルハブと、
前記針の前記鋭い遠位先端を取り囲む針保護部材と
を備えることを特徴とするカテーテルアセンブリ。
【請求項２】
前記戻し部材は、付勢部材を含むことを特徴とする請求項１に記載のカテーテルアセンブリ。
【請求項３】
前記付勢部材は、ばねを含むことを特徴とする請求項２に記載のカテーテルアセンブリ。
【請求項４】
前記付勢部材は、エラストマー部材を含むことを特徴とする請求項２に記載のカテーテルアセンブリ。
【請求項５】
前記ばねは、前記弁アクチュエータを支持して、前記弁アクチュエータが、前記カテーテルハブ内に保持されるが、前記カテーテルハブの内壁に接触しないようにすることを特徴とする請求項３に記載のカテーテルアセンブリ。
【請求項６】
前記針保護部材は、前記針を完全に取り囲むことを特徴とする請求項１に記載のカテーテルアセンブリ。
【請求項７】
前記針保護部材は、前記針を引っ込めるためのばねを含むことを特徴とする請求項１に記載のカテーテルアセンブリ。
【請求項８】
前記針保護部材は、前記針の鋭い遠位先端領域のみを取り囲むことを特徴とする請求項１に記載のカテーテルアセンブリ。
【請求項９】
前記針は、変形部をさらに含み、
記針保護部材は、前記変形部と相互作用することを特徴とする請求項８に記載のカテーテルアセンブリ。
【請求項１０】
前記針保護部材は、弾性クリップを含むことを特徴とする請求項１に記載のカテーテルアセンブリ。
【請求項１１】
前記針は、針使用中に前記弾性クリップを開ポジションへ付勢することを特徴とする請求項１０に記載のカテーテルアセンブリ。
【請求項１２】
前記弾性クリップは、前記針が使用後に引っ込められたときに、前記針の前記遠位先端をブロックするように閉じられたポジションへ動くことを特徴とする請求項１０に記載のカテーテルアセンブリ。
【請求項１３】
前記弾性クリップが前記閉じられたポジションにあるとき、前記弾性クリップは、前記針の前記遠位先端が前記弾性クリップから出るのを防止することを特徴とする請求項１２に記載のカテーテルアセンブリ。
【請求項１４】
前記弾性クリップは、前記閉じられたポジションにおいて前記針をブロックする少なくとも１つの障壁をさらに含むことを特徴とする請求項１２に記載のカテーテルアセンブリ。
【請求項１５】
前記弁は、隔壁を備えることを特徴とする請求項１に記載のカテーテルアセンブリ。
【請求項１６】
前記弁アクチュエータは、前記隔壁に隣接する前記第１のポジションと、前記隔壁における１または複数の予め形成されたスリットを貫通する前記第２のポジションとの間を動くことを特徴とする請求項１５に記載のカテーテルアセンブリ。
【請求項１７】
前記戻し部材は、前記弁の弾性フラップであることを特徴とする請求項１に記載のカテーテルアセンブリ。
【請求項１８】
カテーテルアセンブリであって、
カテーテルと、
前記カテーテルに連結されたカテーテルハブと
を備え、
前記カテーテルハブは、
前記カテーテルを通る流体の流れを選択的に可能にするまたはブロックする弁と、
第１のポジションと第２のポジションとの間を動く弁アクチュエータであって、前記弁アクチュエータの遠位部分に沿って軸方向に延びる１または複数の外部溝を含む弁アクチュエータと、
前記弁アクチュエータを前記第２のポジションから前記第１のポジションへ戻す戻し部材と
を含むことを特徴とするカテーテルアセンブリ。
【請求項１９】
前記弁アクチュエータは、前記弁アクチュエータを貫通して延びる１または複数の開口をさらに含むことを特徴とする請求項１８に記載のカテーテルアセンブリ。
【請求項２０】
前記第２のポジションにおいて、前記弁アクチュエータ、および前記弁アクチュエータの前記１または複数の溝は、前記弁を貫通することを特徴とする請求項１８に記載のカテーテルアセンブリ。
【請求項２１】
前記弁は、隔壁を備えることを特徴とする請求項１８に記載のカテーテルアセンブリ。
【請求項２２】
前記弁アクチュエータは、前記隔壁に隣接する前記第１のポジションと、前記隔壁における１または複数の予め形成されたスリットを貫通する前記第２のポジションとの間を動くことを特徴とする請求項２１に記載のカテーテルアセンブリ。
【請求項２３】
カテーテルアセンブリを動作させる方法であって、
流体を受け入れるように構成されたポジションにおいてカテーテル内に鋭い遠位先端を有する針を配置するステップと、
前記カテーテルを通る液体流れを維持しながら前記針を除去するステップと、
針保護部材によって前記針の少なくとも前記鋭い遠位先端を取り囲むステップと、
第１のポジションから第２のポジションへ動く弁アクチュエータによって弁を開いて、前記カテーテルとカテーテルハブとの間の流体連通を確立するステップと、
前記弁アクチュエータを前記第２のポジションから前記第１のポジションへ戻して、前記カテーテルと前記カテーテルハブとの間の流体連通をブロックするステップと
を含むことを特徴とする方法。
【請求項２４】
使用中に前記針によって前記針保護部材を開ポジションへ付勢するステップと、
前記針が使用後に引っ込められたときに、前記針の前記遠位先端をブロックするように前記針保護部材を動かすステップと
をさらに含み、
前記針保護部材は、弾性クリップを含むことを特徴とする請求項２３に記載のカテーテルアセンブリを動作させる方法。
【請求項２５】
前記弁アクチュエータを前記第１のポジションから前記第２のポジションへ前記弁を通して動かすことによって、前記弁を貫通するステップをさらに含むことを特徴とする請求項２３に記載のカテーテルアセンブリを動作させる方法。
【請求項２６】
前記弁は、隔壁を備えることを特徴とする請求項２３に記載のカテーテルアセンブリを動作させる方法。
【請求項２７】
前記弁アクチュエータは、前記隔壁に隣接する前記第１のポジションと、前記隔壁における１または複数の予め形成されたスリットを貫通する前記第２のポジションとの間を動くことを特徴とする請求項２６に記載のカテーテルアセンブリを動作させる方法。
【請求項２８】
カテーテルアセンブリであって、
カテーテルと、
前記カテーテル内に配置された鋭い遠位先端を有する針と、
前記針が中を通過する前記カテーテルに連結されたカテーテルハブと
を備え、前記カテーテルハブは、
前記カテーテルを通る流体の流れを選択的に可能にするまたはブロックする弁と、
第１のポジションと第２のポジションとの間を動く弁アクチュエータと、
前記弁アクチュエータを前記第２のポジションから前記第１のポジションへ戻すばねと
を含み、前記ばねは、前記弁アクチュエータを支持して、前記弁アクチュエータが、前記カテーテルハブ内に保持されるが、前記カテーテルハブの内壁に接触しないようにすることを特徴とするカテーテルアセンブリ。
【請求項２９】
前記ばねは、前記弁アクチュエータを囲むコイルばねであることを特徴とする請求項２８に記載のカテーテルアセンブリ。
【請求項３０】
前記ばねは外径を含み、
前記カテーテルハブは内表面を含み、
前記ばねの前記外径と前記カテーテルハブの前記内表面とは締まり嵌めによって係合されることを特徴とする請求項２８に記載のカテーテルアセンブリ。
【請求項３１】
前記ばねの前記外径は、前記弁アクチュエータと接触しないことを特徴とする請求項３０に記載のカテーテルアセンブリ。
【請求項３２】
前記ばねは内径を含み、
前記弁アクチュエータは外表面を含み、
前記ばねの前記内径と前記弁アクチュエータの前記外表面とは締まり嵌めによって係合されることを特徴とする請求項２８に記載のカテーテルアセンブリ。
【請求項３３】
前記ばねの前記内径は、前記カテーテルハブと接触しないことを特徴とする請求項３２に記載のカテーテルアセンブリ。